(57)【要約】【課題】スナップイン固定によってパネル下地に対して着脱自在に固定したパネルの落下防止とパネル設置の作業性を向上する。【解決手段】パネル下地１０に固定した係止金具２０の挿入溝４０にパネル１に設置した係止金具３０を圧入してパネル１をスナップインによってパネル下地１０に係脱自在に設置する一方，パネル１にそのスナップイン位置を避けて設置した軸支金具６３によって屈伸リンク６０の一端を固定し，他端に突設した突出軸６２を，パネル下地１０の対応位置に設置した軸受金具６４の軸受６７に挿脱自在とすることによってパネル１を屈伸リンク６０によってパネル下地１０に対して着脱自在に連結する。スナップインが外れても屈伸リンク６０がパネル１の落下を防止し，またパネル１の設置に際して屈伸リンク６０がパネル１の仮支持を行なう。【選択図】        図１
2004360207.tif 000002
【特許請求の範囲】
【請求項１】
パネル下地に配置の下地側係止金具とパネルに配置のパネル側係止金具とを係脱自在にスナップイン係止することによってパネル下地に対してパネルを取外し自在に固定するようにしたパネル固定装置において，これらパネル下地とパネルをこれらの間に着脱自在に介設した複数の屈伸リンクによって連結してなることを特徴とするパネルスナップイン固定装置。
【請求項２】
上記屈伸リンクの着脱自在の介設を，屈伸リンクの一端をパネル下地とパネル一方に対して固定するとともに他端を他方に対して着脱自在としてなることを特徴とする請求項１に記載のパネルスナップイン固定装置。
【請求項３】
上記屈伸リンクの他端におけるパネル下地又はパネルに対する着脱を，上記係止金具のスナップイン係止と交差する方向に挿脱可能とした軸と軸受による回動自在の軸支によって自在としてなることを特徴とする請求項２に記載のパネルスナップイン固定装置。
【発明の詳細な説明】
【０００１】
【発明の属する技術分野】
本発明は，例えば内外装のためにパネルを建築物の躯体に設置するに用いるパネルスナップイン固定装置に関する。
【０００２】
【従来の技術及び発明が解決しようとする課題】
この種パネル固定が，壁，天井等に配置したパネル下地に対してパネルを直接にネジ止めし，または，例えばパネル設置用のファスナー金具を介してパネルをネジ止めするように，一般にネジ（ボルトを含む）を使用して行うものとされており，このため多数箇所でネジの締着作業が必要となり，パネル工事が煩雑化し易く，またパネル正面や側面のフランジにネジ頭が露出することになるために，設置状態でパネル外観が損なわれ易いことから，本発明者は，特願２００２−３２３０６号及び特願２００３−３３９４４号によって，パネル下地に配置の係止金具とパネルに配置の係止金具とを係脱自在にスナップイン係止することによってパネル下地に対してパネルを取外し自在に固定するようにしたパネル固定装置を提案済である。
【０００３】
この場合，パネルをパネル下地側に向けて押付けるように押圧することによって係止金具を相互にスナップイン係止してパネルの固定作業を行うことによってパネルの固定をなし得るとともに固定を係脱自在のスナップイン係止によるものとしたから，パネルを正面側に引っ張るように引寄せすることによって係止を解除してパネルを取り外すことができ，各種点検やメンテナンスを容易化し得るとともに設置の工事に際して生じ易い設置位置を間違えたパネルを容易に交換設置し得るものとなる。しかし乍ら係脱自在のスナップイン係止による固定としたことによって，係止金具の材質や形状等の具体的態様，頻繁なパネルの取り外しによっては長期使用に伴ってスナップイン係止に疲労が生じる可能性を完全に否定することはできず，仮に疲労を生じるとガタツキや位置ズレが発生したり，極端な場合，スナップイン係止が解除されパネルが外れる結果ともなるために，ネジを使用したパネル固定に慣れている工事業者や需要者にとって取り外しの許容とその強固且つ確実な固定確保の両立について不安を与えることによってその普及が阻まれる可能性が残されている。
【０００４】
本発明はかかる事情に鑑みてなされたもので，その解決課題とするところは，パネルが外れてもその落下の可能性を解消することによって係脱自在のスナップイン係止を用いたパネル固定に伴う不安を可及的に解消するとともにパネル設置作業を更に容易になし得るようにしたパネルスナップイン固定装置を提供するにある。
【０００５】
【課題を解決するための手段】
上記課題に添って本発明は，パネルとパネル下地間に複数の屈伸リンクを介設してパネルとパネル下地とを連結することによって，スナップイン係止の疲労等に起因して，仮にスナップイン係止が解除されても該屈伸リンクが伸張してパネルをパネル下地に保持してその落下を防止するように屈伸リンクを落下防止手段とするとともに，パネル固定の作業に際してパネルを屈伸リンクによって仮支持した状態でパネル下地に対して押圧してそのスナップイン係止をなし得るようにして屈伸リンクをパネル仮支持手段とするようにしたものであって，即ち請求項１に記載の発明を，パネル下地に配置の下地側係止金具とパネルに配置のパネル側係止金具とを係脱自在にスナップイン係止することによってパネル下地に対してパネルを取外し自在に固定するようにしたパネル固定装置において，これらパネル下地とパネルをこれらの間に着脱自在に介設した複数の屈伸リンクによって連結してなることを特徴とするパネルスナップイン固定装置としたものである。
【０００６】
請求項２に記載の発明は，上記に加えて，パネル固定に際して屈伸リンクの介設によるパネルとパネル下地の連結をなし得るものとして，屈伸リンクを介設するパネル固定作業の作業性を良好に確保するように，これを，上記屈伸リンクの着脱自在の介設を，屈伸リンクの一端をパネル下地とパネル一方に対して固定するとともに他端を他方に対して着脱自在としてなることを特徴とする請求項１に記載のパネルスナップイン固定装置としたものである。
【０００７】
請求項３に記載の発明は，同じく上記に加えて，パネル固定に際してパネルをパネル下地に対して片側から定位置までスライドするように移動することによって屈伸リンクの介設とこれによるパネルとパネル下地の連結をなし得るものとして，同じく屈伸リンクを介設するパネル固定作業の作業性を良好に確保するように，これを，上記屈伸リンクの他端におけるパネル下地又はパネルに対する着脱を，上記係止金具のスナップイン係止と交差する方向に挿脱可能とした軸と軸受による回動自在の軸支によって自在としてなることを特徴とする請求項２に記載のパネルスナップイン固定装置としたものである。
【０００８】
本発明はこれら各請求項に記載の発明をそれぞれ発明の要旨として上記課題解決の手段としたものである。
【０００９】
【発明の実施の形態】
以下図面の例に従って本発明を更に具体的に説明すれば，１は，例えば樹脂系芯材と表裏のアルミ仕上材による複合パネル（商標名「アルポリック」）による内装又は外装用の矩形パネル，１０は，例えばブラケット１４を介して建物躯体に縦横格子状をなすように設置した，厚肉中空のアルミ押出材によるパネル下地であり，上記パネル１は，パネル下地１０に配置の下地側係止金具２０とパネル１に配置のパネル側係止金具３０とを係脱自在にスナップイン係止することによってパネル下地に対して取外し自在に固定してあり，このときこれらパネル下地１０とパネル１をこれらの間に着脱自在に介設した複数の屈伸リンク６０によって連結したものとしてある。
【００１０】
本例のスナップイン係止は，パネル側係止金具３０を，パネル下地１０と下地側係止金具２０に常時強圧挟持自在とし，これら係止金具によるパネル保持力を可及的高度に発揮して，ガタツキや位置ズレ等の発生を抑制し長期に亘って固定の耐久性と安定性を維持確保することによって，パネルを着脱自在としつつもその固定を強固且つ確実に行って，その建物躯体に設置したパネル下地１０に対する固定の耐久性を確保したものとしてある。
【００１１】
即ち本例のパネル下地１０は，断面台形ボックス状とした厚肉中空のパネル下地基部１１と，その幅方向両側に張出突出した厚肉一対の固定突片１２，本例にあってはパネル下地基部１１から背面に向けた連結部を介して倒Ｌ字状をなすようにその先端から側方に向けて突出した固定突片１２，下地基部１１から背面側（図の上方向）に一体に突出して躯体に設置したブラケット１４に添設固定することによって該パネル下地１０を躯体に設置するようにした取付片１３とを備えて幅方向に対称断面形状のものとしてあり，該パネル下地１０を建物躯体の定位置に設置し，下地側係止金具２０を該パネル下地１０に設置してパネル下地１０側面との間に挿入溝４０を形成し且つそのパネル下地１０対向面側に中間係止溝２５を設置したものとし，パネル側係止金具３０は，パネル１端部に設置してそのパネル下地１０対向面側に中間突起３３と先端突起３４をまた下地側係止金具２０側に中間係止突起３５をそれぞれ設置し且つそのパネル１端部近傍付近に透孔３６を設置した上記挿入溝４０に挿入用のものとしてある。
【００１２】
パネル１のパネル下地１０への固定は，該パネル側係止金具３０を上記挿入溝４０に挿入し中間突起３３をパネル下地１０の正面に引掛け係止して先端突起３４をパネル下地１０側面に対接状態とするとともに中間係止突起３５を下地側係止金具２０の中間係止溝２５にスナップイン係止することによって行ったものとしてあり，このときパネル下地１０は，その側面，本例にあっては上記下地基部１１の側面を正面側に向けて幅狭とするように傾斜面，本例にあっては，例えば５乃至２０°程度とした傾斜面とすることにより上記パネル側係止金具３０の先端突起３４をスナップイン係止前後で該傾斜面に対して摺動圧接自在とするとともに上記下地側係止金具２０の中間係止溝２５は，これを挿入方向に傾斜開口した傾斜Ｖ字溝とし且つパネル側係止金具３０の中間係止突起３５を挿入方向逆向きに傾斜突出した傾斜突起とすることにより上記スナップイン係止を中間係止溝２５強制拡開状態の引掛け係止としパネル側係止金具３０をパネル下地１０と下地側係止金具２０間に常時強圧挟持自在としてある一方，上記透孔３６を介して下地側係止金具２０のパネル１側先端を押圧することによって上記スナップイン係止を解除してパネル１をパネル下地１０から取外し自在としてある。
【００１３】
本例の下地側係止金具２０は，これを，例えばステンレス鋼，炭素鋼等のスプリング性の強い曲げ鋼板製とし，パネル下地の長手方向全長乃至所定間隔固定用の長尺部材又は短尺部材をなすものとしてあり，パネル下地１０に固定，本例にあっては固定突片１２に重合固定する固定片２１と，該固定片２１から屈曲延設してパネル下地対向面側に傾斜した傾斜片２３と，該傾斜片２３から屈曲延設してパネル１幅方向の端部側に緩傾斜又は直交して上記中間係止溝２５を設置した係止片２４と，該係止片２４を更に屈曲延設した上記パネル側係止金具３０の透孔３６対応位置の押圧片２７とを備えて形成してあり，このとき本例の下地側係止金具２０の傾斜片２３は，これを，上記固定片２１から湾曲部２２を介して屈曲延設したものとしてあり，また上記押圧片２７には透孔２８を設置したものとしてある。
【００１４】
一方，本例のパネル側係止金具３０は，これをアルミ押出材製とし，例えばパネルの四辺に設置するように長尺部材としてあり，パネル固定片３１と，該固定片３１からパネル１背面の上記挿入溝４０の挿入方向，即ち奥行方向に向けて突出した基部３２と，該基部３２のパネル下地１０対向面側に設置した中間突起３３と先端突起３４と，同じく基部３２の下地側係止金具２０対向面側に設置した中間係止突起３５と，上記基部３２の最パネル側に位置する上記中間突起３３よりパネル１端部近傍に透設して設置した透孔３６とを備えて形成してあり，このとき上記中間係止突起３５は，これを挿入溝４０の挿入方向逆向きに傾斜突出した傾斜突起としてある。
【００１５】
即ち該パネル側係止金具３０は，その肉厚を標準的に数ｍｍ程度乃至それ以上とした厚肉又は比較的厚肉のものとしてあり，その固定片３１は，パネル端縁と端部背面をＬ字状に被覆するように端面カバー部３１１と背面当接部３１２とを備えるとともに背面当接部３１２を部分的に屈曲隆起して背面から浮かせたネジ止め部３１３を形成したものとし，基部３２は該固定片３１の背面当接部３１２から背面直交方向に起立突出し，その両側面一側のパネル下地１０対向面側中間突起３３及び先端突起３４と，他側の下地側係止金具２０対向面側中間係止突起３５とを突設し，パネル１端部近傍付近，即ち固定片３１近傍付近に上記透孔３６を透設設置してある。
【００１６】
中間突起３３と先端突起３４は，そのパネル下地１０側の先端が直角のＬ字面上に位置するように配置し，中間突起３３はパネル下地１０正面に引掛け係止するようにパネル下地１０側に突出し，先端突起３４は基部３２先端からパネル下地１０側面の傾斜面に所定位置，本例にあってはパネル側係止金具３０のスナップイン係止の定位置の僅かに手前位置のＰ点で接触し，スナップイン係止のための押圧，特に圧入によって先端突起３４が傾斜面をＰ点より挿入溝４０の奥行方向に向けて上記摺動圧接するようにしてあり，このとき本例の先端突起３４は，これを，上記パネル下地１０の傾斜面に線接触自在の形状に形成し，これによって傾斜面に対する摩擦抵抗を可及的に減少して押圧を容易化し得るようにしてある。
【００１７】
傾斜突起とした中間係止突起３５は，例えば基部３２と４０°乃至５０°程度，本例にあっては４５°程度の角度のＶ字状を呈して上記下地側係止金具３５の押圧片２７の突出方向と逆に挿入方向逆向きに傾斜突出してあり，このとき本例の中間係止突起３５先端は，挿入方向上面から正面にかけて湾曲し又は挿入方向上面側に膨出する等することによって円弧状の面を備えたものとし，上記下地側係止金具２０の摺動ガイドをなすようにした上記起立片部２６に沿ってこれを押圧しながら容易に乗越えてその中間係止溝２５にスムーズに引掛け係止し得るようにしてある。また中間係止突起３５先端は，その大きさ，傾斜角度等とともに上記中間突起との位置関係を規制して，該突起３５が上記パネル下地１０正面に対接したその引掛け係止状態で下地側係止金具２０の中間係止溝２５を強制拡開状態とするようにしてある。
【００１８】
透孔３６は，基部３２に，例えば先端を屈曲し又は折り返したバー状の引掛け工具５０等を通過可能にして透設することによって基部３２の強度を弱めない位置と径によるものとし，例えば基部３２の幅に応じてその中間位置に設置し，直径を５ｍｍ乃至２ｃｍ程度としたものとしてある。
【００１９】
このように形成したパネル下地１０，下地側係止金具２０，パネル側係止金具３０を用いたパネル１のパネル下地１０への固定は，パネル下地１０両側の固定突片１２に各下地側係止金具２０の固定片２１２１を重合固定することによって，下地側係止金具２０をパネル下地１０長手方向所定間隔に設置する一方，パネル１の四周にそれぞれパネル側係止金具３０を，そのパネル固定片３１の端面カバー部３１１がパネル１端面を覆い背面当接部３１２がパネル１端部背面に対接するようにしてネジ止め部３１３を介してパネル１に対して所定間隔のネジ止めを行なうか又はこれに先立つ接着固定とネジ止めを併用して固定し，パネル側係止金具３０をパネル下地１０と下地側係止金具２０による各挿入溝４０の位置に合わせ，パネル１をその正面側から背面側に向けて押圧して，パネル側係止金具３０を挿入溝４０に圧入するようにしてパネル側係止金具３０を所定間隔の下地側係止金具２０にスナップイン係止して，該パネル側係止金具３０をパネル下地１０と下地側係止金具２０間に強圧挟持するようにすればよく，このようにパネル１をパネル下地１０に固定することによって，パネル側係止金具３０のパネル下地１０及び下地側係止金具２０の位置関係から，本例にあってはパネル１間にそれぞれ開放した所定幅の目地４１が形成されるとともにパネル１端面が被覆されて，目地４１付きにして外観のよいパネル１の張設が可能となるとともに，パネル１を着脱自在としつつもその固定を強固且つ確実に行って固定の耐久性を確保して実用性に富んだものとすることができる。
【００２０】
一方図中６０は屈伸リンク６０であり，本例にあって該屈伸リンク６０は，その着脱自在の介設を，屈伸リンク６０の一端をパネル下地１０とパネル１一方に対して固定するとともに他端を他方に対して着脱自在として行なうようにし，また本例の上記屈伸リンク６０の他端におけるパネル下地１０又はパネル１に対する着脱は，これを，上記係止金具２０，３０のスナップイン係止と交差する方向に挿脱可能とした軸と軸受による回動自在の軸支によって自在としたものとしてある。
【００２１】
即ち屈伸リンク６０は，例えばパネル下地１０とパネル１の，上記係止金具２０，３０によるスナップイン係止位置を避けたパネル下地１０の長手方向適宜位置に，例えばパネル１の片側に１〜２箇所，両側合計で３〜４箇所とする如くに適宜数を介設して，パネル１とパネル下地１０とを離隔屈伸自在とするように連結してあり，該離隔屈伸自在の連結によって上記スナップイン係止の疲労等に起因し，仮にスナップイン係止が解除されても該屈伸リンク６０が伸張することによりパネル１をパネル下地１０に保持しその床面への落下を防止する落下防止手段をなすとともに，パネル１固定の作業に際してはパネル１を屈伸リンク６０によって仮支持した状態でパネル下地１０に対して押圧してそのスナップイン係止をなし得るようにパネル１の仮支持手段をなすようにしてある。
【００２２】
本例にあって屈伸リンク６０は，例えば同長複数，例えば２本のリンクプレート６１を用い，その長手方向一方の端部を部分的に重合し該重合部分を回動自在に軸支することによって伸張可能に一体化するとともに伸張状態の長手方向両端，即ち各リンクプレート６１の他端をパネル１及びパネル下地１０に回動自在に軸支することによってパネル１をパネル下地１０間に配設してその連結のための介設を行ってあり，このとき本例の屈伸リンク６０はその一端をパネル１に固定し，他端をパネル下地１０に着脱自在としてその介設を行なったものとしてある。
【００２３】
屈伸リンク６０一端の上記パネル１に対する固定は，本例にあってパネル１の上記ネジ止め部３１３の長手方向所定位置にＴ字状，Ｌ字状等適宜形状の軸支金具６３を設置するか，該ネジ止め部３１３を部分的に加工して軸支金具６３を起立形成し，該軸支金具６３の立上り部に屈伸リンク６０の一端を重合して該重合部分を回動自在に軸支することによって行ってある。
【００２４】
上記リンクプレート６１重合部分の軸支及びリンクプレート６１の軸支金具６３に対する軸支は，常法に従ってリンクプレート６１，軸支金具６３に配置した軸と軸受６６とを軸支するようにこれを行えばよいが，本例にあっては，例えばこれらにカシメ加工を施すことによってその軸支を行なうことによってその固定の確実性と回動のスムーズさを確保し得るようにしてある。
【００２５】
一方パネル下地１０に対する他端の着脱は，リンクプレート６１の該当端部に，パネル下地１０の長手方向に添って，即ちスナップイン係止と交差する方向に向けて突出軸６２又は軸受６６を配置する一方，パネル下地１０の連結位置にこれに応じた軸受６６又は突出軸６２を配置し，突出軸６２を軸受６６に対して挿脱自在に挿入軸支することによってこれらが回動自在の軸支部をなすように行ってある。
【００２６】
本例にあって該突出軸６２とその挿入対象の軸受６６は，上記パネル１に固定した屈伸リンク６０側に突出軸６２を，パネル下地１０側に軸受６６をそれぞれ配置してあり，該パネル下地１０の軸受６６は，パネル下地１０に軸受金具６４を設置することによってこれを形成してあり，該軸受金具６４は，パネル下地１０の取付片１３に，そのブラケット１４位置を避けて固定する固定片６５と該固定片６５から固定突片１２を超えて側方に突出しその先端に円形乃至Ｃ字状の軸受６６を備えた突出片６６とを備えた適宜形状，例えばＬ字状としたものとしてあり，これによってパネル下地１０に対する設置の定位置，即ちスナップイン係止位置からパネル下地１０の長手方向に突出軸６２の長さに相当する幅分パネル１をスライドするようにずらすことによって軸と軸受の挿脱とこれによる着脱をなし得るようにしてある。
【００２７】
このように屈伸リンク６０をパネル１に固定し，パネル下地１０に着脱自在とした本例におけるパネル１の設置は，パネル１をパネル下地１０の設置の定位置付近に手持ち等で保持し該パネル１を定位置に向けてずらすように移動させ，各屈伸リンク６０の上記突出軸６２をパネル下地１０の軸受６６に向けて挿入することによって該パネル１をパネル下地１０に対して仮支持し，然る後に上記係止金具２０，３０相互のスナップイン係止を行なうようにパネル１をパネル下地１０に向けて押圧すればよく，これによって屈伸リンク６０を個別に後付けしてその介設を行なうことなく，パネル１固定と同時に所定個所複数の屈伸リンク６０を介設できるとともにパネル１設置をその仮支持状態で安全且つ効率的に行うことができる。また屈伸リンク６０は屈伸自在であるから，該屈伸リンク６０を介設したことによってパネル１設置のスナップイン係止が妨げられることがなく，パネル１設置状態でスナップイン係止位置と離れた位置でＶ字状に屈曲してパネル１とパネル下地１０を離隔屈伸自在に連結することになり，一方係止金具２０，３０の疲労や透孔  を介した取外し操作によって係止金具２０，３０のスナップイン係止を解除しても，屈伸リンク６０が直線状に伸張してパネル１とパネル下地１０の連結状態を維持してパネル下地１０がパネル１を支持することによりその落下を防止することができ，パネル１を天井パネルや壁パネルとして使用したときの安全を確保できるとともに，例えばパネル１を完全に外すことなく屈伸リンク６０が伸張したパネル１とパネル下地１０の連結状態でパネル１内の配管等の点検作業等を行うこともできる。
【００２８】
図中２２は，下地側係止金具３０のスプリング性を更に強固とするように向上し，例えばパネル下地１０の固定突片１２端縁に沿うようにＬ字状に屈曲する等した場合に生じる該屈曲部分に対するスナップイン係止に伴う力の集中を回避し，その耐久性の向上を図るように，固定片２１と傾斜片２３間に介設した湾曲部，４１はパネル１間に必要に応じて配置した目地，１２１はパネル下地１０の固定突片１２に形成した下地側係止金具２０の固定片２１２１を重合固定するについて該固定片２１を突き当てるようにしてその位置決めをなし得るようにした位置決め段部，１５はブラケット１４の躯体固定用アンカーボルトを示す。
【００２９】
図示した例は以上のとおりとしたが，上記屈伸リンクを用いるとき，そのリンクプレートが他の部材に当る場合に該リンクプレートを適宜湾曲乃至折曲するように形成すること，屈伸リンクとして平行四辺形運動を呈する伸縮リンクを用いること，屈伸リンクのパネルとパネル下地間の介設を，一端をパネル下地に固定し他端をパネルに着脱自在とすること，スナップイン係止の係止金具を，例えばパネル下地に受金具とこれに対する圧入金具とによって相互に係止自在のものとすること，上記に図示した係止金具について，その下地側係止金具に中間係止突起を，パネル側係止金具に中間係止溝を設置した係止金具を用いて同様にスナップイン係止を行なうように構成すること，下地側係止金具の固定片をパネル下地に形成した挟持溝に嵌合挟持して固定するように構成すること，下地側係止金具及びパネル側係止金具の双方をアルミ押出材製とし，曲げ鋼板製とし，或いはその双方又は一方をニッケル合金等その余の材料によるものとすること，下地側係止金具の湾曲部に代えて多角形屈曲部によるものすること，その上記係止片を傾斜片の延長線上に配置すること，押圧片の透孔設置を省略すること，同じく押圧片を上記起立片部とＶ字状をなす突出部から屈曲したパネル側係止金具の基部に平行片を備えたものとし，また該平行片に透孔を設置するようにすること等の具体的形態を含めて，本発明の実施に当ってパネル下地，パネル，係止金具，スナップイン係止，屈伸リンク，必要に応じて使用する軸と軸受等の形状，構造，材質，寸法，これらの関係，これらに対する介設や付加等は，上記発明の要旨に反しない限り様々な具体的形態のものとすることができ，以上に示したものに殊更限定するに及ばない。
【００３０】
【発明の効果】
本発明は以上のとおりに構成したから，請求項１に記載の発明は，パネルとパネル下地間に複数の屈伸リンクを介設してパネルとパネル下地とを連結することによって，スナップイン係止の疲労等に起因して，仮にスナップイン係止が解除されても該屈伸リンクが伸張してパネルをパネル下地に保持してその落下を防止するように屈伸リンクを落下防止手段として，パネルが外れてもその落下の可能性を解消することによって係脱自在のスナップイン係止を用いたパネル固定に伴う不安を可及的に解消するとともにパネル固定の作業に際してパネルを屈伸リンクによって仮支持した状態でパネル下地に対して押圧してそのスナップイン係止をなし得るようにして屈伸リンクをパネル仮支持手段として，パネル設置作業を更に容易になし得るようにしたパネルスナップイン固定装置を提供することができる。
【００３１】
請求項２に記載の発明は，上記に加えて，パネル固定に際して屈伸リンクの介設によるパネルとパネル下地の連結をなし得るものとして，屈伸リンクを介設するパネル固定作業の作業性を良好に確保することができる。
【００３２】
請求項３に記載の発明は，同じく上記に加えて，パネル固定に際してパネルをパネル下地に対して片側から定位置までスライドするように移動することによって屈伸リンクの介設とこれによるパネルとパネル下地の連結をなし得るものとして，同じく屈伸リンクを介設するパネル固定作業の作業性を良好に確保することができる。
【図面の簡単な説明】
【図１】パネルのパネル下地への設置状態を示す断面図である。
【図２】パネル側の係止金具とその挿入溝の関係を示す断面図である。
【図３】パネルの取り外し可能状態を示す断面図である。
【図４】パネルとパネル下地の連結状態を示す断面図である。
【図５】パネルとパネル下地の連結状態を示す側面図である。
【図６】屈伸リンク６０による連結部分の拡大斜視図である。
【図７】屈伸リンク６０の挿脱状態を示す拡大斜視図である。
【図８】屈伸リンク６０の屈曲及び伸張状態を示す断面図である。
【符号の説明】
１  パネル
１０  パネル下地
２０  下地側係止金具
２２  湾曲部
２３  傾斜片
２４  係止片
２５  中間係止溝
２７  押圧片
２８  透孔
３０  パネル側係止金具
３３  中間突起
３４  先端突起
３５  中間係止突起
３６  透孔
４０  挿入溝
６０  屈伸リンク
６１  リンクプレート
６２  突出軸
６３  軸支金具
６４  軸受金具
６７  軸受
【図１】
2004360207.tif 000003
【図２】
2004360207.tif 000004
【図３】
2004360207.tif 000005
【図４】
2004360207.tif 000006
【図５】
2004360207.tif 000007
【図６】
2004360207.tif 000008
【図７】
2004360207.tif 000009
【図８】
2004360207.tif 000010